(57)【特許請求の範囲】
【請求項１】
液透過性の表面シートと、液難透過性の裏面シートと、これらのシート間に配された長方形状の吸収体とを備えた吸収性物品であって、
排泄物と接触することにより芳香を発する第１芳香部及び第２芳香部を有し、該第１芳香部及び該第２芳香部は、互いに異なる芳香が付与されており、
前記第１芳香部は装着者の排尿部に当接される受尿部に配され、前記第２芳香部は、前記受尿部を避けて、前記吸収体の長手方向端部に配されている吸収性物品。
【請求項２】
前記吸収体は、吸収体コアと、該吸収体コアを包むコアラップとを有しており、
前記第１芳香部は、前記表面シートと該表面シート側の前記コアラップとの間、又は前記表面シート側の前記コアラップと前記吸収体コアとの間に配されている請求項１に記載の吸収性物品。
【請求項３】
前記第１芳香部は、前記受尿部における前記吸収体の内部に混在している請求項１に記載の吸収性物品。
【請求項４】
前記吸収体は、吸収体コアと、該吸収体コアを包むコアラップとを有しており、
前記第２芳香部は、前記裏面シートと該裏面シート側の前記コアラップとの間、又は前記裏面シート側の前記コアラップと前記吸収体コアとの間に配されている請求項１〜３の何れかに記載の吸収性物品。
【請求項５】
前記第１芳香部及び／又は前記第２芳香部は、芳香の発散性を有する揮発性物質を含有する水溶性樹脂の層と、該水溶性樹脂の層の一面に設けられた、前記揮発性物質を実質的に含有しない水溶性樹脂の層とを有する芳香発散層である請求項１〜４の何れかに記載の吸収性物品。
【請求項６】
前記第１芳香部及び／又は前記第２芳香部は、芳香の成分を含み、排泄物と接触することにより該芳香の成分が流出するマイクロカプセルである請求項１〜４の何れかに記載の吸収性物品。
【請求項７】
前記第１芳香部及び／又は前記第２芳香部は、前記マイクロカプセルを繊維シートで挟んでなる芳香シートである請求項６に記載の吸収性物品。
【請求項８】
排泄物と接触することにより芳香を発する第３芳香部を有し、該第３芳香部は、前記第１芳香部及び前記第２芳香部と異なる芳香が付与されており、
前記第３芳香部は装着者の排便部に当接される受便部に配されている請求項１〜７の何れかに記載の吸収性物品。
【発明の詳細な説明】
【技術分野】
【０００１】
本発明は、使い捨ておむつ等の吸収性物品に関する。
【背景技術】
【０００２】
従来、使い捨ておむつには、装着者が排泄したか否かを色により判断するインジケーターが備えられている。また、視覚障害者でも判断できるように、香りにより判断するインジケーターを備えた使い捨ておむつも知られている。例えば、特許文献１には、吸収体とバックシートとの間に、芳香の発散性を有する揮発性物質を含有する水溶性樹脂の層を有する芳香発散層を備えた使い捨ておむつが記載されている。また、特許文献２には、受尿部及び受便部それぞれに、異なる香料成分を付与されたマイクロカプセルを配した使い捨ておむつが記載されている。
【０００３】
上記特許文献１に記載の使い捨ておむつは、尿などの排泄物が芳香発散層に接触すると、芳香の発散性を有する揮発性物質が揮散し、おむつの外部へと放出されて、排泄があったことが知覚される。従って、健常者のみならず、視覚障害者でも排泄があったことが判断できる。しかしながら、特許文献１に記載の使い捨ておむつでは、おむつを交換する時期か否かを、吸収した排泄物の量により判断したいとのニーズを満たすことができ難かった。
【０００４】
上記特許文献２に記載の使い捨ておむつは、排尿や排便がマイクロカプセルに接触すると、受尿部及び受便部それぞれに配されたマイクロカプセルの香料成分が異なっているため、排尿又は排便があったことが知覚される。従って、健常者のみならず、視覚障害者でも排尿又は排便があったことが判断できる。しかしながら、特許文献２には、吸収した排泄物の量を知る手段については、何ら記載されておらず、特許文献２に記載の使い捨ておむつでは、おむつを交換する時期か否かを、吸収した排泄物の量により判断することができない。
【先行技術文献】
【特許文献】
【０００５】
【特許文献１】特開２００２−３６９８３８号公報
【特許文献２】特開２００７−２６８２２１号公報
【発明の概要】
【発明が解決しようとする課題】
【０００６】
したがって、本発明の課題は、健常者のみならず、視覚障害者でも、おむつを交換する時期か否かを、吸収した排泄物の量により判断することができる吸収性物品を提供することにある。
【課題を解決するための手段】
【０００７】
本発明は、液透過性の表面シートと、液難透過性の裏面シートと、これらのシート間に配された長方形状の吸収体とを備えた吸収性物品であって、排泄物と接触することにより芳香を発する第１芳香部及び第２芳香部を有し、該第１芳香部及び該第２芳香部は、互いに異なる芳香が付与されており、前記第１芳香部は装着者の排尿部に当接される受尿部に配され、前記第２芳香部は、前記受尿部を避けて、前記吸収体の長手方向端部に配されている吸収性物品を提供するものである。
【発明の効果】
【０００８】
本発明の吸収性物品によれば、健常者のみならず、視覚障害者でも、おむつを交換する時期か否かを、吸収した排泄物の量により判断することができる。
【図面の簡単な説明】
【０００９】
【図１】図１は、本発明の第１実施形態である展開型の使い捨ておむつを表面シート側から見た平面図である。
【図２】図２は、図１のＸ１−Ｘ１線断面図である。
【図３】図３は、図１のＹ１−Ｙ１線断面図である。
【図４】図４は、芳香拡散層からなる第１芳香部を説明する断面図である。
【図５】図５は、第２実施形態である展開型の使い捨ておむつのＸ１−Ｘ１線断面図である。
【図６】図６は、第３実施形態である展開型の使い捨ておむつのＸ１−Ｘ１線断面図である。
【発明を実施するための形態】
【００１０】
以下、本発明の吸収性物品を、その好ましい第１実施形態に基づき、図１〜図４を参照しながら説明する。
【００１１】
第１実施形態の使い捨ておむつ１Ａ（以下、「おむつ１Ａ」ともいう。）は、図１に示すように、液透過性の表面シート２と、液難透過性の裏面シート３と、これらのシート２，３間に配された長方形状の吸収体４とを備えており、排泄物と接触することにより芳香を発する第１芳香部５及び第２芳香部６を有している。おむつ１Ａは、図１に示すように、中心線ＣＬに対して左右対称に形成されている。従って以下の説明では、左右対称な部分については、主に、右側について説明する。
【００１２】
第１実施形態のおむつ１Ａについて、詳述すると、おむつ１Ａは、図１に示すように、装着時に装着者の腹側に位置する腹側部Ａ、背側に位置する背側部Ｂ、及び腹側部Ａと背側部Ｂとの間に配置される股下部Ｃを有する本体１０を備え、背側部Ｂの両側部１０ｂから幅方向（以下「Ｘ方向」という。Ｘ方向：中心線ＣＬに直交する方向をいう。）外方に延出するサイドフラップ部１１を備え、サイドフラップ部１１における背側部Ｂにファスニングテープ１２を備える、いわゆる展開型のおむつである。おむつ１Ａは、全体視して、図１に示すように、その両側縁が、長手方向（以下「Ｙ方向」という。Ｙ方向：中心線ＣＬに平行な方向をいう。）の中央部において内方に括れた形状を有しており、長手方向（Ｙ方向）の両端部の幅が、長手方向（Ｙ方向）中央部の幅よりも広くなっている。おむつ１Ａは、図１に示すように、腹側部Ａの外面に、ファスニングテープ１２を止着するターゲットテープ１３を有している。尚、おむつ１Ａは、図１に示すように、平面状に拡げた状態において、本体１０と同方向に長い形状を有している。おむつ１Ａの本体１０は、図１，図２に示すように、液透過性の表面シート２と、液難透過性又は撥水性の裏面シート３と、これらのシート２，３間に介在された液保持性の吸収体４とを有している。
【００１３】
第１実施形態のおむつ１Ａにおいては、吸収体４は、図１に示すように、長手方向（Ｙ方向）に長い長方形状であり、図３に示すように、吸収体コア４１、吸収体コア４１を包むコアラップ４２を有している。具体的には、図３に示すように、長方形状の吸収体４は、繊維集合体に吸収性ポリマーが均一に分散含有されてなる長方形状の吸収体コア４１と、吸収体コア４１の肌当接面側の全面及び非肌当接面側の全面を被覆するコアラップ４２とを備えている。また、第１実施形態のおむつ１Ａにおいては、図３に示すように、吸収体４は、吸収体コア４１の肌当接面側の全面を覆うように、サブレイヤーシート４３を備えている。
【００１４】
第１実施形態のおむつ１Ａにおいては、サブレイヤーシート４３は、図３に示すように、Ｙ方向に長い長方形状であり、吸収体コア４１の肌当接面側に配されたコアラップ４２と、吸収体コア４１との間に配されている。サブレイヤーシート４３は、或る程度の厚みを有する嵩高なシートであることが好ましい。サブレイヤーシート４３によって、尿などの排泄物を拡散することができ、吸収体４で排泄物を効率的に吸収することができる。この観点から、サブレイヤーシート４３は、その厚みが０．２〜５ｍｍであることが好ましく、０．８〜２ｍｍであることが更に好ましい。
【００１５】
おむつ１Ａの本体１０は、図１，図３に示すように、排泄物と接触することにより芳香を発する第１芳香部５及び第２芳香部６を有している。第１芳香部５及び第２芳香部６は、互いに異なる芳香が付与されている。「互いに異なる芳香」については、後で詳しく説明する。以下、第１芳香部５及び第２芳香部６について、詳述する。
【００１６】
第１芳香部５は、図１，図３に示すように、装着者の排尿部に当接される受尿部Ｄに配されている。ここで、受尿部Ｄとは、おむつ１Ａにおいて、装着者の排尿部に当接される領域であり、おむつ１Ａの股下部Ｃにおける長手方向（Ｙ方向）中央部よりもやや腹側部Ａ寄りに偏倚した位置にある。
【００１７】
第１実施形態のおむつ１Ａにおいては、第１芳香部５は、図３に示すように、表面シート２と表面シート２側のコアラップ４２との間に配されているが、表面シート２側のコアラップ４２と吸収体コア４１との間に配されていてもよい。第１実施形態のおむつ１Ａにおいては、上述したように、吸収体４にはサブレイヤーシート４３が配されている為、第１芳香部５を、表面シート２側のコアラップ４２と吸収体コア４１との間に配する場合には、表面シート２側のコアラップ４２とサブレイヤーシート４３との間に配することが好ましい。装着者の排尿部と受尿部Ｄとの位置が、装着中に何らかの原因でズレ、受尿部Ｄと異なる位置で尿などをした場合でも、サブレイヤーシート４３により尿を拡散させ、尿を確実に第１芳香部５に接触させることができるからである。
【００１８】
第２芳香部６は、第１芳香部５と異なる芳香が付与されているものであり、図１，図３に示すように、受尿部Ｄを避けて、吸収体４の長手方向（Ｙ方向）端部４ａに配されている。即ち、第２芳香部６と第１芳香部５とは、吸収体４の長手方向（Ｙ方向）に互いに重ならない位置に配されている。第１実施形態のおむつ１Ａにおいては、第２芳香部６は、図１，図３に示すように、吸収体４の長手方向（Ｙ方向）両端部４ａ，４ａそれぞれに配されているが、受尿部Ｄが股下部Ｃの中央部よりもやや腹側部Ａ寄りに偏倚した位置に配されているため、少なくとも、腹側部Ａ側の端部４ａに配されていることが好ましい。
【００１９】
第１実施形態のおむつ１Ａにおいては、第２芳香部６は、図３に示すように、裏面シート３と裏面シート３側のコアラップ４２との間に配されているが、裏面シート３側のコアラップ４２と吸収体コア４１との間に配されていてもよい。図３に示すように、第１実施形態のおむつ１Ａにおいては、第２芳香部６は、吸収体４の長手方向（Ｙ方向）両端部４ａ，４ａそれぞれに配されているため、製造工程の都合に配慮し、一方の第２芳香部６を、裏面シート３と裏面シート３側のコアラップ４２との間に配し、他方の第２芳香部６を、裏面シート３側のコアラップ４２と吸収体コア４１との間に配してもよい。
【００２０】
第１芳香部５は、図４に示すように、芳香の発散性を有する揮発性物質を含有する水溶性樹脂の層５１と、水溶性樹脂の層５１の一面に設けられた、前記揮発性物質を実質的に含有しない水溶性樹脂の層５２とを有する芳香発散層である。芳香発散層からなる第１芳香部５は、図１に示すように、Ｘ方向に長い長方形状のものであり、吸収体４のＸ方向の両端間に亘って配されている。第１実施形態のおむつ１Ａにおいては、図４に示すように、第１芳香部５は、３層構造をなしている。３層構造のうちの中間層は、芳香の発散性を有する揮発性物質を含有する水溶性樹脂の層５１であり、層５１の表面シート２対向面には、揮発性物質を実質的に含有しない水溶性樹脂の層５２が配され、層５１の吸収体４対向面にも、揮発性物質を実質的に含有しない水溶性樹脂の層５２が配されている。このように、３層構造の第１芳香部５は、すべて水溶性樹脂の層から構成されているので、おむつ１Ａに尿などの排泄物が排泄され、水溶性樹脂が排泄物と接触することにより溶解し、水溶性樹脂の層５１に配された芳香の発散性を有する揮発性物質が揮散し、おむつ１の外部へと放出されて芳香する。以上のとおりの構成を有する芳香発散層としては、例えば特開２００２−３６９８３８号公報に記載のもの等を用いることができる。第１実施形態のおむつ１Ａにおいては、第２芳香部６も、第１芳香部５と同様に、３層構造の芳香発散層であり、図１に示すように、Ｘ方向に長い長方形状のものであり、吸収体４のＸ方向の両端間に亘って配されている。
【００２１】
第１芳香部５と第２芳香部６とは、互いに異なる芳香が付与されている。ここで「互いに異なる芳香」とは、フルーティ調、シトラス調、ウッディムスキー調、グリーン調等の香料の調子の異なる揮発性物質を付与することや、香料の調子が同じであったとしても、揮発性物質の含有量を異ならせて付与することを意味する。取り替え時期を判断させる観点から、第２芳香部６の芳香を強い傾向の調子とし、第１芳香部５の芳香を弱い傾向の調子とすることが好ましく、香料の調子が同じである場合には、第２芳香部６の芳香の揮発性物質の含有量を多くし、第１芳香部５の芳香の揮発性物質の含有量を、第２芳香部６の芳香の揮発性物質の含有量より少なくすることが好ましい。具体的には、第２芳香部６の芳香に、フルーティ調の芳香を用い、第１芳香部５の芳香に、シトラス調の芳香を用いることが好ましく、例えば、互いにシトラス調の芳香を用い用いた場合には、第２芳香部６の芳香の揮発性物質を、芳香発散層の単位面積当たり、０．２〜３ｇ／ｍ2含有させ、第１芳香部５の芳香の揮発性物質を、芳香発散層の単位面積当たり、０．０２〜１ｇ／ｍ2含有させることが好ましい。
【００２２】
おむつ１Ａの本体１０においては、表面シート２及び裏面シート３それぞれが、図１，図２に示すように、吸収体４の肌当接面側の全面及び非肌当接面側の全面を覆っており、吸収体４の周縁から延出している。また、表面シート２は、図２に示すように、幅方向（Ｘ方向）の長さが裏面シート３よりも短くなっている。
【００２３】
おむつ１Ａの本体１０には、図１，図２に示すように、長手方向（Ｙ方向）の側部１０ｂに、表面シート２を介してサイドシート１４が配されている。サイドシート１４は、図１に示すように、本体１０（表面シート２）の肌当接面側であって、側部１０ｂの長手方向（Ｙ方向）の全域に亘って覆っている。サイドシート１４は、図２に示すように、本体１０（表面シート２）の幅方向（Ｘ方向）外方の端部において、表面シート２と接合され、固定部１５を形成している。固定部１５は、長手方向（Ｙ方向）に直線状に延びて形成されている。サイドシート１４の幅方向（Ｘ方向）内方の端部は、図２に示すように、自由端となっており、図１に示すように、股下部Ｃにおける自由端近傍には立体ギャザー形成用の弾性部材１６が長手方向（Ｙ方向）に伸長状態で配設固定されており、着用時には、その弾性部材１６の収縮力により、自由端から所定幅の部分が表面シート２から離間して立体ギャザーを形成する。
【００２４】
おむつ１Ａには、図１，図２に示すように、固定部１５から幅方向（Ｘ方向）外方に延出したサイドシート１４と裏面シート３とが接合され、サイドフラップ部１１が形成されている。サイドフラップ部１１は、図１，図２に示すように、腹側部Ａ及び背側部Ｂにおいて、本体１０の側縁１０ｂよりも幅方向（Ｘ方向）外方に延出している部分であり、サイドフラップ部１１の肌当接面側及び非肌当接面側は、それぞれ、サイドシート１４及び裏面シート３から形成されている。
【００２５】
おむつ１Ａには、図１に示すように、股下部Ｃにおいて、固定部１５から幅方向（Ｘ方向）外方に、幅方向（Ｘ方向）外方に延出したサイドシート１４と裏面シート３とが接合され、レッグフラップ部１７が形成されている。レッグフラップ部１７には、図１に示すように、股下部Ｃにおいて、レッグギャザー形成用の弾性部材１８が長手方向（Ｙ方向）に伸長状態で、長手方向（Ｙ方向）に配設固定されており、着用時には、その弾性部材１８の収縮力により、レッグギャザーが形成される。
【００２６】
第１実施形態の使い捨ておむつ１Ａの形成材料について説明する。
表面シート２、裏面シート３、サイドシート１４としては、通常、使い捨ておむつ等の吸収性物品に用いられるものであれば、特に制限なく用いることができる。例えば、表面シート２としては、液透過性の不織布や、開孔フィルム、これらの積層体等を用いることができ、裏面シート３としては、樹脂フィルムや樹脂フィルムと不織布の積層体等を用いることができる。サイドシート１４としては、伸縮性のフィルム、不織布、織物またはそれらの積層シート等を用いることができる。
【００２７】
サブレイヤーシート４３としては、親水性不織布や親水性の短繊維集合体からなるものが挙げられる。不織布としては、吸収性の観点から、嵩高なもの、具体的には、エアスルー不織布やエアレイド不織布を用いることが好ましい。親水性の短繊維集合体としては、密度の高いパルプシートを用いることが好ましい。
【００２８】
立体ギャザー形成用の弾性部材１６、レッグギャザー形成用の弾性部材１７としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００２９】
立体ギャザー形成用の弾性部材１６、レッグギャザー形成用の弾性部材１７の固定に使用する接着剤としては、通常、使い捨ておむつ等の吸収性物品に用いられるものであれば、特に制限なく用いることができる。表面シート２とサイドシート１４との固定部１５は、通常、使い捨ておむつ等の吸収性物品に用いられる接着剤、熱融着等により表面シート２とサイドシート１４とを接合することにより形成される。
【００３０】
ファスニングテープ１２としては、通常、使い捨ておむつ等の吸収性物品に用いられるものであれば、特に制限なく用いることができる。例えば、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。ターゲットテープ１３としては、フック材の係合突起（不図示）に係合可能な表面構造を有するループ材からなり、このようなループ材としては、フック材を押しつけることにより、フック材を止着可能なものを特に制限なく用いることができる。例えば、例えば上述した各種公知の機械的面ファスナーにおけるメス部材を用いることができる。
【００３１】
上述した本発明の第１施形態の使い捨ておむつ１Ａを使用した際の作用効果について説明する。
第１実施形態のおむつ１Ａは、図１，図３に示すように、第１芳香部５が、受尿部Ｄに配され、第１芳香部５と異なる芳香が付与された第２芳香部６が、受尿部Ｄを避けて、吸収体４の長手方向（Ｙ方向）端部４ａに配されている。このように、第２芳香部６と第１芳香部５とは、吸収体４の長手方向（Ｙ方向）に互いに重ならない位置に配されている。その為、装着者の排尿部に当接する受尿部Ｄに、尿が排泄された場合には、先ず、受尿部Ｄに配された第１芳香部５に尿が接触し、第１芳香部５の芳香が発せられる。ここで、尿が少量の場合には、受尿部Ｄに位置する吸収体４で尿が保持される為、第１芳香部５と重ならない位置に配されている第２芳香部６の芳香が発せられることはない。次に、吸収体４で保持される尿の量が多量となり、吸収体４の長手方向（Ｙ方向）端部４ａにまで尿が達すると、尿が第２芳香部６に接触し、第２芳香部６の芳香が発せられる。このように、第２芳香部６の芳香が発せられたということは、吸収体４全体の領域で尿を保持しなければならないほど吸収した状態であり、おむつを交換する時期でもある。従って、第１芳香部５と第２芳香部６とを、上述したように配することにより、健常者のみならず、視覚障害者でも、おむつを交換する時期か否かを、吸収した排泄物の量により判断することができる。
【００３２】
また、第１実施形態のおむつ１Ａにおいては、図３に示すように、第１芳香部５は、表面シート２と表面シート２側のコアラップ４２との間に配されており、第２芳香部６は、裏面シート３と裏面シート３側のコアラップ４２との間に配されている。即ち、第１芳香部５が吸収体４の上方に配され、第２芳香部６が吸収体４の下方に配されている。その為、吸収体４全体の領域でも尿を保持できないほど吸収し、液難透過性の裏面シート３にまで達した尿のみが第２芳香部６に接触し、第２芳香部６の芳香が発せられる。このように、第２芳香部６の芳香が発せられたということは、吸収体４全体の領域で尿を保持できないほど吸収した状態である。従って、第１芳香部５と第２芳香部６とを、上述したように配することにより、健常者のみならず、視覚障害者でも、おむつを交換する時期か否かを、吸収した排泄物の量により更に判断することができる。
【００３３】
次に、本発明の第２実施形態の使い捨ておむつについて、図５に基づいて説明する。
第２実施形態の使い捨ておむつ１Ｂ（以下、「おむつ１Ｂ」ともいう）については、第１実施形態の使い捨ておむつ１Ａと異なる点について説明する。特に説明しない点は、第１実施形態の使い捨ておむつ１Ａと同様であり、第１実施形態の使い捨ておむつ１Ａの説明が適宜適用される。
【００３４】
第２実施形態のおむつ１Ｂにおいては、図５に示すように、吸収体４にサブレイヤーシート４３が配されておらず、第１芳香部５が芳香発散層ではない点が、おむつ１Ａと異なる。以下、具体的に説明する。
【００３５】
第２実施形態のおむつ１Ｂにおいては、図５に示すように、第１芳香部５が、受尿部Ｄにおける吸収体４の内部に混在している。具体的には、第１芳香部５は、芳香の成分を含み、排泄物と接触することにより該芳香の成分が流出するマイクロカプセルである。マイクロカプセルである第１芳香部５が、図５に示すように、受尿部Ｄに位置する吸収体４の領域において、吸収性ポリマーと共に、繊維集合体に均一に分散されることにより、吸収体４の内部に混在している。マイクロカプセルとしては、例えば特開昭５９−１０６５０１号公報に記載のものや、特開２００７−２６８２２１号公報に記載のもの等を用いることができる。
【００３６】
第２実施形態のおむつ１Ｂにおいては、第２芳香部６は、上述したマイクロカプセルを繊維シートで挟んでなる芳香シートである。繊維シートとしては、親水性不織布や親水性の短繊維集合体からなるシートが挙げられ、二枚の繊維シート間に、第１芳香部５と異なる芳香成分をゼラチン等により皮膜して形成されたマイクロカプセルを配することにより、芳香シートが形成される。
【００３７】
第２実施形態の使い捨ておむつ１Ｂの形成材料について説明する。第２実施形態のおむつ１Ｂについては、第１実施形態の使い捨ておむつ１Ａの形成材料と同様である。
【００３８】
上述した本発明の第２実施形態の使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００３９】
第２実施形態のおむつ１Ｂにおいては、疎水性である揮発性物質がシート状に存在する第１実施形態と異なり、尿が吸収体４に到達することが阻害されない。
【００４０】
次に、本発明の第３実施形態の使い捨ておむつについて、図６に基づいて説明する。
第３実施形態の使い捨ておむつ１Ｃ（以下、「おむつ１Ｃ」ともいう）については、第１実施形態の使い捨ておむつ１Ａと異なる点について説明する。特に説明しない点は、第１実施形態の使い捨ておむつ１Ａと同様であり、第１実施形態の使い捨ておむつ１Ａの説明が適宜適用される。
【００４１】
第３実施形態のおむつ１Ｃにおいては、図６に示すように、吸収体４にサブレイヤーシート４３が配されておらず、第１芳香部５及び第２芳香部６以外に、装着者の排便部に当接される受便部Ｅに第３芳香部７が配されている点が、おむつ１Ａと異なる。以下、具体的に説明する。
【００４２】
第３実施形態のおむつ１Ｃにおいては、図６に示すように、第３芳香部７が、装着者の排便部に当接される受便部Ｅに配されている。ここで、受便部Ｅとは、おむつ１Ｃにおいて、装着者の排便部に当接される領域であり、おむつ１Ｃの股下部Ｃにおける長手方向（Ｙ方向）中央部よりもやや背側部Ｂ寄りに偏倚した位置にある。第１芳香部５、第２芳香部６及び第３芳香部それぞれは、吸収体４の長手方向（Ｙ方向）に互いに重ならない位置に配されている。
【００４３】
第３実施形態のおむつ１Ｃにおいては、第３芳香部７は、図６に示すように、表面シート２と表面シート２側のコアラップ４２との間に配されているが、表面シート２側のコアラップ４２と吸収体コア４１との間に配されていてもよい。第１実施形態のおむつ１Ａのように、吸収体４にサブレイヤーシート４３が配されている場合には、装着者の排便部と受便部Ｅとの位置が、装着中に何らかの原因でズレ、受便部Ｅと異なる位置で便などをした場合でも、サブレイヤーシート４３により軟便や水様便等の水分を拡散させ、その水分を確実に第３芳香部７に接触させることができる観点から、第３芳香部７を、表面シート２側のコアラップ４２とサブレイヤーシート４３との間に配することが好ましい。第３芳香部７は、第１実施形態のおむつ１Ａの第１芳香部５と同様に、３層構造の芳香発散層であり、図１に示すように、Ｘ方向に長い長方形状のものであり、吸収体４のＸ方向の両端間に亘って配されている。
【００４４】
第３芳香部７は、第１芳香部５及び第２芳香部６と異なる芳香が付与されている。第１芳香部５、第２芳香部６及び第３芳香部７それぞれに、互いに異なる芳香が付与されているとは、第１実施形態のおむつ１Ａと同様に、フルーティ調、シトラス調、ウッディムスキー調、グリーン調等の香料の調子の異なる揮発性物質をそれぞれに付与することや、香料の調子が同じであったとしても、揮発性物質の含有量をそれぞれに異ならせて付与することを意味する。取り替え時期を判断させる観点から、第２芳香部６の芳香を強い傾向の調子とし、第１芳香部５及び第３芳香部７の芳香を弱い傾向の調子とすることが好ましく、香料の調子が同じである場合には、第２芳香部６の芳香の揮発性物質の含有量を多くし、第１芳香部５及び第３芳香部７の芳香の揮発性物質の含有量を、第２芳香部６の芳香の揮発性物質の含有量より少なくすることが好ましい。具体的には、第２芳香部６の芳香に、フルーティ調の芳香を用い、第１芳香部５の芳香に、シトラス調の芳香を用い、第３芳香部７の芳香に、グリーン調の芳香を用いることが好ましく、例えば、それぞれにシトラス調の芳香を用い用いた場合には、第２芳香部６の芳香の揮発性物質を、芳香発散層の単位面積当たり、０．２〜３ｇ／ｍ2含有させ、第１芳香部５の芳香の揮発性物質を、芳香発散層の単位面積当たり、０．０２〜１ｇ／ｍ2含有させ、第３芳香部７の芳香の揮発性物質を、芳香発散層の単位面積当たり、０．０２〜１ｇ／ｍ2含有させることが好ましい。
【００４５】
第３実施形態の使い捨ておむつ１Ｃの形成材料について説明する。第３実施形態のおむつ１Ｃについては、第１実施形態の使い捨ておむつ１Ａの形成材料と同様である。
【００４６】
上述した本発明の第３実施形態の使い捨ておむつ１Ｃを使用した際の作用効果について説明する。
第３実施形態のおむつ１Ｃの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００４７】
第３実施形態のおむつ１Ｃにおいては、第１芳香部５及び第２芳香部６と異なる芳香の付与された第３芳香部が、図５に示すように、受便部Ｅに配されているので、軟便や水様便等の下痢気味の便の場合に、第３芳香部７の芳香が発せられる。従って、第１芳香部５、第２芳香部６及び第３芳香部を、上述したように配することにより、健常者のみならず、視覚障害者でも、便の状態による体調の具合を判断することができる。
【００４８】
本発明の吸収性物品の一実施形態である使い捨ておむつは、上述の第１，第２，第３実施形態の使い捨ておむつに何ら制限されるものではなく、適宜変更可能である。また、上述の第１，第２，第３実施形態の使い捨ておむつにおける各構成要件は、本発明の趣旨を損なわない範囲で、適宜組み合わせて実施できる。
【００４９】
例えば、上述の第１，第２，第３実施形態の使い捨ておむつは、図１に示すように、展開型の使い捨ておむつであるが、パンツ型の使い捨ておむつでもよい。
【００５０】
また、上述の第１，第２，第３実施形態の使い捨ておむつにおいては、第１芳香部５、第２芳香部６及び第３芳香部７は、３層構造の芳香発散層であるが、３層構造でなくてもよく、第１芳香部５、第２芳香部６及び第３芳香部７は、図１に示すように、吸収体４のＸ方向の両端間に亘って配されているが、Ｘ方向の中央領域にのみ配されていてもよい。
【００５１】
また、吸収性物品は、幼児又は成人用の使い捨ておむつであってもよい。
【符号の説明】
【００５２】
１Ａ，１Ｂ，１Ｃ  使い捨ておむつ
２  表面シート
３  裏面シート
４  吸収体
４ａ  吸収体の長手方向（Ｙ方向）の端部
４１  吸収体コア
４２  コアラップ
４３  サブレイヤーシート
５  第１芳香部
６  第２芳香部
７  第３芳香部
１０  本体
１０ｂ  本体の長手方向（Ｙ方向）の側部
１１  サイドフラップ
１２  ファスニングテープ
１３  ターゲットテープ
１４  サイドシート
１５  固定部
１６，１８  弾性部材
１７  レッグフラップ部
Ａ  腹側部，Ｂ  背側部，Ｃ  股下部，Ｄ  受尿部，Ｅ  受便部
ＣＬ  おむつの長手方向に延びる中心線
【図１】
0005396243.tif 000002
【図２】
0005396243.tif 000003
【図３】
0005396243.tif 000004
【図４】
0005396243.tif 000005
【図５】
0005396243.tif 000006
【図６】
0005396243.tif 000007